(57)【要約】【課題】支持部に照射される紫外線を防止することができる軒樋吊具を提供する。【解決手段】鼻板４１の屋外側の面に固定される固定部２２と、固定部２２から延設され軒樋３を吊り下げて支持する支持部２１と、支持部２１の上面を覆い支持部２１に照射される紫外線を防止するカバー部１と、を備えることを特徴とする。【選択図】図１
2014134044.tif 000002
【特許請求の範囲】
【請求項１】
鼻板の屋外側の面に固定される固定部と、前記固定部から延設され軒樋を吊り下げて支持する支持部と、前記支持部の上面を覆い前記支持部に照射される紫外線を防止するカバー部と、を備えることを特徴とする軒樋吊具。
【請求項２】
前記カバー部が、前記支持部の先端側の半部を覆うことを特徴とする請求項１記載の軒樋吊具。
【請求項３】
前記カバー部の上面は、前記カバー部の上面の軒方向の中間部から前記カバー部の上面の軒方向の両端部に行く程下方に位置するように傾斜していることを特徴とする請求項１又は請求項２記載の軒樋吊具。
【発明の詳細な説明】
【技術分野】
【０００１】
本発明は、軒樋吊具に関するものである。
【背景技術】
【０００２】
従来から、軒樋を支持するために鼻板に取付けられる軒樋吊具が利用されている（例えば特許文献１参照）。
【先行技術文献】
【特許文献】
【０００３】
【特許文献１】特開２００８−２９１５７０号公報
【発明の概要】
【発明が解決しようとする課題】
【０００４】
ところで、特許文献１に記載されている軒樋吊具では、日光が直接軒樋吊具の軒樋を吊り下げて支持する支持部に当たってしまうため、長期間使用すると紫外線により支持部の表面が劣化し支持部の強度が低下してしまう虞があった。
【０００５】
本発明は上記従来の問題点に鑑みて発明したものであって、その目的とするところは、支持部に照射される紫外線を防止する軒樋吊具を提供することを課題とするものである。
【課題を解決するための手段】
【０００６】
上記課題を解決するために、本発明は、以下のような構成とする。
【０００７】
鼻板の屋外側の面に固定される固定部と、前記固定部から延設され軒樋を吊り下げて支持する支持部と、前記支持部の上面を覆い前記支持部に照射される紫外線を防止するカバー部と、を備えることを特徴とする。
【０００８】
また、前記カバー部が、前記支持部の先端側の半部を覆うことが好ましい。
【０００９】
また、前記カバー部の上面は、前記カバー部の上面の軒方向の中間部から前記カバー部の上面の軒方向の両端部に行く程下方に位置するように傾斜していることが好ましい。
【発明の効果】
【００１０】
本発明の軒樋吊具は、支持部に照射される紫外線を防止することができる。
【図面の簡単な説明】
【００１１】
【図１】本発明の第一実施形態の軒樋吊具を家屋に取付けた際の断面図である。
【図２】本発明の第一実施形態のカバー部を取付けた軒樋吊具の斜視図である。
【図３】本発明の第二実施形態のカバー部を取付けた軒樋吊具の斜視図である。
【図４】本発明のカバー部の斜視図である。
【発明を実施するための形態】
【００１２】
以下、本発明の第一実施形態について図１及び図２に基づいて説明する。
【００１３】
軒樋吊具２は、家屋４の鼻板４１の前面に取付けられ軒樋３を支持する。
【００１４】
軒樋３は、本実施形態では上方に開口する略コ字状の断面となっているが、断面が半円状となっていてもよい。軒樋３の材質は特に限定されない。ここで、家屋４側を後方向、家屋４側とは反対側を前方向とする。
【００１５】
軒樋３は、軒樋３の前側に設けられる前板部３１と、軒樋３の後側に設けられる後板部３２と、前板部３１の下端と後板部３２の下端とを連設している底板部３３と、で形成されている。底板部３３と前板部３１とが屋根４２から落ちてくる流水を受けるために、鈍角をなしていてもよいし、底板部３３と後板部３２とが略直角をなしていてもよいが、各々の角度や形状は特に限定されない。
【００１６】
前板部３１の上端部には、軒樋３の長手方向に視たときの断面形状が略矩形状となっている前板耳部３１ａが設けられている。前板耳部３１ａと前板部３１との間には下方向に開口する隙間３４が形成されている。なお、前板耳部３１ａの形状は上記した形状に限定されない。
【００１７】
後板部３２の上端部には、軒樋３の長手方向に視たときの断面形状が略矩形状となっている後板耳部３２ａが設けられている。なお、後板耳部３２ａの形状は上記した形状に限定されない。
【００１８】
軒樋吊具２は、軒樋３を吊り下げて支持する支持部２１と、支持部２１を鼻板４１に取付ける固定部２２と、を備えている。なお、本実施形態の支持部２１と固定部４１は、例えばポリカーボネート等の紫外線で劣化しやすい素材を用いて成形されたものであるが、材質や製法は限定されない。
【００１９】
固定部２２は鼻板４１の前側の面に固定される板状をしたものである。固定部２２は本実施形態では略矩形状をしており、鼻板４１に固定するためのネジを挿通させるための孔２２ａが、６ヶ所設けられている。なお、孔２２ａの数は限定されない。
【００２０】
支持部２１は、固定部２２から後板部３２の上方を通って軒樋３内部に延設され、軒樋３を吊り下げて支持するものである。本実施形態では、支持部２１は、固定部２２から延設され前板耳部３１ａを支持する架橋部２３と、架橋部２３の基幹部から延設され後板耳部３２ａを支持する後板耳部係止部２５と、を有している。
【００２１】
架橋部２３は、固定部２２の上端から延設されている上延設材２３ａと、固定部２２の中間部から延設されている下延設材２３ｂとで形成されている。上延設材２３ａと下延設材２３ｂの夫々の先端は結合し、前板耳部係止部２４を形成している。前板耳部係止部２４は、前板耳部３１ａと前板部３１との間の隙間３４に挿入されることにより軒樋３を支持する。
【００２２】
後板耳部係止部２５は、後板耳部３２ａの下片に掛止めされることにより、軒樋３を支持している。
【００２３】
軒樋３は、固定具により鼻板４１に固定されている軒樋吊具２の前板耳部係止部２４と後板耳部係止部２５により支持されている。なお、支持部２１は上記した形状に限定されない。
【００２４】
軒樋吊具２に取付けられるカバー部１は、支持部２１の上面を覆い支持部２１に照射される紫外線を防止するものである。
【００２５】
カバー部１は架橋部２３の上延設材２３ａに取付けられており、本実施形態では、図４に示すように、カバー部１を正面から視たときの形状は略五角形となっており、下面の一部に隙間１８を有している。ここで、カバー部１を正面から視たときの左方向を左方向Ｌとし、右方向を右方向Ｒとする。
【００２６】
カバー部１は、略垂直に設けられ上延設材２３ａの側面と当接する左側当接部１１と、右側当接部１２と、上延設材２３ａを載置する左側載置部１３と、右側載置部１４と、左側当接部１１と右側当接部１２とを連接する屋根部１５と、を備えている。そして、カバー部１は、上延設材２３ａを左側載置部１３と右側載置部１４とを用いて挟持する押圧部１６と、を備えている。
【００２７】
左側当接部１１の下端から右方向Ｒに突設されている左側載置部１３は、上延設材２３ａの下面を載置するために設けられている。右側当接部１２の下端から左方向Ｌに突設されている右側載置部１４は、上延設材２３ａの下面を載置するために設けられている。左側載置部１３と右側載置部１４とは結合しておらず、左側載置部１３と右側載置部１４の間に隙間１８が設けられている。この隙間１８を通って上延設材２３ａが挿入される。
【００２８】
カバー部１の上面である屋根部１５は、本実施形態では左側屋根部１５ａと右側屋根部１５ｂとで形成されている。
【００２９】
左側屋根部１５ａは、本実施形態では、左側当接部１１の上端から左側当接部１１の上端と右側当接部１２の上端との略中心まで、左側当接部１１の上端から右方向Ｒに行く程上方向に位置するように傾斜する形状となっている。右側屋根部１５ｂは、本実施形態では、左側屋根部１５ａの右側端部から右側当接部１２の上端まで、左側屋根部１５ａの右側端部から右方向Ｒに行く程下方向に位置するように傾斜する形状となっている。なお、左側屋根部１５ａと右側屋根部１５ｂの形状は上記した形状に限定されない。
【００３０】
屋根部１５が設けられていることにより、カバー部１に落ちてくる雨水が屋根部１５の傾斜で、軒樋３に流れ易くなるため、雨水が鼻板４１側に飛散し難くなる。従って、固定部２２に雨水がかかり難くなり、固定部２２を腐食させ難くすることができる。
【００３１】
押圧部１６は、本実施形態では、屋根部１５の略中心にある左側屋根部１５ａと右側屋根部１５ｂの境界部１７から下方に延設されている逆Ｔ字状をしている。押圧部１６は、上記した隙間１８から挿入される上延設材２３ａを押圧するために設けられている。なお、押圧部１６の形状は上記したものに限定されない。
【００３２】
押圧部１６と左側載置部１３と右側載置部１４とで、隙間１８から挿入された上延設材２３ａを挟持している。本実施形態では、押圧部１６と左側載置部１３と右側載置部１４とで、カバー部１は軒樋吊具２に取付けられている。なお、カバー部１の軒樋吊具２への取付け方法は上記した方法に限定されない。
【００３３】
本実施形態では、上延設材２３ａを略全長に亘ってカバー部１が覆っている。
【００３４】
以上のようなカバー部１を軒樋吊具２に取付けた軒樋吊具２は、日光が支持部２１ではなくカバー部１に当たるため、支持部２１に紫外線が当たらなくなり、照射される紫外線による支持部２１の表面の劣化が起こり難くなり、支持部２１の強度が低下し難くなる。また、屋根４２から流下してくる雨水が軒樋吊具２ではなく、カバー部１の屋根部１５に当たり、屋根部１５の傾斜により軒樋３に流入し易くなる。そのため、雨水が軒樋吊具２に当たって鼻板４１側へ飛散し難くなるので、固定部２２に雨水がかかり難くなり固定部２２が腐食し難くなる。
【００３５】
次に、第二実施形態について図３に基づいて説明する。なお、本実施形態については図１及び図２に示す上記第一実施形態と大部分について同じであるため、同じ構成については同符号を付して説明を省略し、主に異なる部分について説明する。
【００３６】
本実施形態では、カバー部１は上延設材２３ａを略全長に亘って覆わず、カバー部１は支持部２１の先端側の半部を覆っている。これは、屋根４２は軒樋３の後側端部から中間部近傍までの上方に位置しているので、軒樋吊具２の後端側の半部は屋根４２の陰になるため日光が当たり難い。従って、カバー部１が上延設材２３ａを略全長に亘って覆わないでも、支持部２１に照射される紫外線や雨水を防ぐことができることになる。そこで、上延設材２３ａをカバー部１で覆う部分を減らすことにより、部材のコスト削減をすることができる。
【符号の説明】
【００３７】
１    カバー部
１１  左側当接部
１２  右側当接部
１３  左側載置部
１４  右側載置部
１５  屋根部
１５ａ  左側屋根部
１５ｂ  右側屋根部
１６  押圧部
１７  境界部
１８  隙間
２    軒樋吊具
３    軒樋
４    家屋
【図１】
2014134044.tif 000003
【図２】
2014134044.tif 000004
【図３】
2014134044.tif 000005
【図４】
2014134044.tif 000006